(57)【特許請求の範囲】
【請求項１】
スマート機器グルーピングシステムであって、
グルーピング側と、少なくとも２つの選定されたスマート機器と、を含み、
前記グルーピング側は、前記選定されたスマート機器へ送信電力を送信するように構成され、
前記スマート機器は、前記送信電力に基づいて信号をブロードキャストし、他のスマート機器によって前記送信電力に基づいてブロードキャストされた信号を受信した後、前記信号の信号強度と、前記信号を送信したスマート機器の識別子とを利用して、信号強度情報を生成するように構成され、
前記グルーピング側は、さらに、各スマート機器によって生成された前記信号強度情報を取得し、前記信号強度情報に応じて、前記選定された各スマート機器に対してグルーピングを行うように構成されることを特徴とするスマート機器グルーピングシステム。
【請求項２】
前記信号強度情報は、前記信号強度情報を生成したスマート機器の識別子をさらに含み、
前記グルーピング側は、さらに、
前記信号強度情報に含まれる識別子を取得し、含まれる識別子が異なる信号強度情報を選別し、
前記信号強度情報に含まれる信号強度に応じて、選別された前記信号強度情報に対してグルーピングを行い、
各グループの信号強度情報に含まれる識別子を取得し、前記識別子を有するスマート機器を１つのグループにするように構成され、
各グループの信号強度情報に含まれる信号強度同士の差分は、何れも所定差分閾値より小さいことを特徴とする請求項１に記載のスマート機器グルーピングシステム。
【請求項３】
前記グルーピング側は、さらに、グルーピングされた各グループのスマート機器について、前記グループにおける各スマート機器の種別を取得し、前記グループにおける各スマート機器の種別に基づいて、前記グループにおける同一の種別であるスマート機器を１つのサブグループにするように構成され、
前記種別は、電球あるいはスマートコンセントであることを特徴とする請求項１または２に記載のスマート機器グルーピングシステム。
【請求項４】
選定された各スマート機器へ送信電力を送信するステップと、
前記各スマート機器からフィードバックされた信号強度情報を取得するステップと、
前記各スマート機器から送信された信号強度情報に応じて、前記選定された各スマート機器に対してグルーピングを行うステップと、を含み、
前記信号強度情報は、前記スマート機器が信号を受信した後、前記信号の信号強度と、前記信号を送信したスマート機器の識別子とを利用して生成したものであり、前記信号は、前記信号を送信したスマート機器が前記送信電力に基づいてブロードキャストしたものであることを特徴とするスマート機器グルーピング方法。
【請求項５】
前記信号強度情報は、前記信号強度情報を生成したスマート機器の識別子をさらに含み、
各スマート機器から送信された信号強度情報に応じて、前記選定された各スマート機器に対してグルーピングを行うステップは、
各信号強度情報に含まれる識別子を取得し、
含まれる識別子が異なる信号強度情報を選別し、
信号強度情報に含まれる信号強度に応じて、選別された前記信号強度情報に対してグルーピングを行い、
各グループの信号強度情報に含まれる識別子を取得し、前記識別子を有するスマート機器を１つのグループにして、
各グループの信号強度情報に含まれる信号強度同士の差分の絶対値は、何れも所定差分閾値より小さいことを特徴とする請求項４に記載のスマート機器グルーピング方法。
【請求項６】
グルーピングされた各グループのスマート機器について、前記グループにおける各スマート機器の種別を取得するステップと、
前記グループにおける各スマート機器の種別に基づいて、前記グループにおける同一の種別であるスマート機器を１つのサブグループにするステップと、をさらに含み、
前記種別は、スマート電球あるいはスマートコンセントであることを特徴とする請求項５に記載のスマート機器グルーピング方法。
【請求項７】
同一のユーザアカウントとバインディングされた各スマート機器を前記選定された各スマート機器として特定するステップ、または、
同一のＬＡＮ内に位置する各スマート機器を前記選定された各スマート機器として特定するステップをさらに含むことを特徴とする請求項４に記載のスマート機器グルーピング方法。
【請求項８】
指定のグループにおける各スマート機器を指示し制御するための制御指令を受信するステップと、
前記グループにおける各スマート機器へ前記制御指令を送信するステップと、をさらに含むことを特徴とする請求項４乃至７の何れか一項に記載のスマート機器グルーピング方法。
【請求項９】
スマート機器グルーピング方法であって、
他のスマート機器からブロードキャストされた信号を受信するステップと、
同一のスマート機器から送信された信号について、前記信号の信号強度と、前記信号を送信したスマート機器の識別子とを利用して、信号強度情報を生成するステップと、
前記信号強度情報をグルーピング側へ送信するステップと、を含み、
前記ブロードキャストされた信号は、当該信号のブロードキャスト元であるスマート機器が送信電力を受信した後で前記送信電力に基づいて送信したものであり、
前記信号強度情報は、前記グルーピング側が取得された各信号強度情報に応じて、信号強度情報を生成した各スマート機器に対してグルーピングを行うようにトリガするために用いられることを特徴とするスマート機器グルーピング方法。
【請求項１０】
前記グルーピング側から送信された前記送信電力を受信するステップと、
前記送信電力に基づいて信号をブロードキャストするステップと、をさらに含み、
前記信号には、前記信号をブロードキャストするスマート機器の識別子が付加されていることを特徴とする請求項９に記載のスマート機器グルーピング方法。
【請求項１１】
選定された各スマート機器へ送信電力を送信するように構成される電力送信モジュールと、
前記各スマート機器からフィードバックされた信号強度情報を取得するように構成される取得モジュールと、
前記取得モジュールによって取得された、前記各スマート機器から送信された信号強度情報に応じて、前記選定された各スマート機器に対してグルーピングを行うように構成されるグルーピングモジュールと、を備え、
前記信号強度情報は、前記スマート機器が信号を受信した後、前記信号の信号強度と、前記信号を送信したスマート機器の識別子とを利用して生成したものであり、前記信号は、前記信号を送信したスマート機器が前記電力送信モジュールによって送信された前記送信電力に基づいてブロードキャストしたものであることを特徴とするスマート機器グルーピング装置。
【請求項１２】
前記取得モジュールによって取得された信号強度情報は、前記信号強度情報を生成したスマート機器の識別子をさらに含み、
前記グルーピングモジュールは、
各信号強度情報に含まれる識別子を取得するように構成される識別子取得サブモジュールと、
含まれる識別子が異なる信号強度情報を選別するように構成される選別サブモジュールと、
信号強度情報に含まれる信号強度に応じて、前記選別サブモジュールによって選別された前記信号強度情報に対してグルーピングを行うように構成されるグルーピングサブモジュールと、
各グループの信号強度情報に含まれる識別子を取得し、前記識別子を有するスマート機器を１つのグループにするように構成される識別子区分サブモジュールと、を備え、
各グループの信号強度情報に含まれる信号強度同士の差分の絶対値は、何れも所定差分閾値より小さいことを特徴とする請求項１１に記載のスマート機器グルーピング装置。
【請求項１３】
グルーピングされた各グループのスマート機器について、前記グループにおける各スマート機器の種別を取得するように構成される種別取得サブモジュールと、
前記種別取得サブモジュールによって取得された前記グループにおける各スマート機器の種別に基づいて、前記グループにおける同一の種別であるスマート機器を１つのサブグループにするように構成される種別区分サブモジュールと、をさらに備え、
前記種別は、スマート電球あるいはスマートコンセントであることを特徴とする請求項１２に記載のスマート機器グルーピング装置。
【請求項１４】
同一のユーザアカウントとバインディングされた各スマート機器を前記選定された各スマート機器として特定するように構成される第１特定モジュール、または、
同一のＬＡＮ内に位置する各スマート機器を前記選定された各スマート機器として特定するように構成される第２特定モジュールをさらに備えることを特徴とする請求項１１に記載のスマート機器グルーピング装置。
【請求項１５】
指定のグループにおける各スマート機器を指示し制御するための制御指令を受信するように構成される指令受信モジュールと、
前記グループにおける各スマート機器へ前記制御指令を送信するように構成される指令送信モジュールと、をさらに備えることを特徴とする請求項１１乃至１４の何れか一項に記載のスマート機器グルーピング装置。
【請求項１６】
スマート機器グルーピング装置であって、
他のスマート機器からブロードキャストされた信号を受信するように構成される受信モジュールと、
同一のスマート機器から送信された信号について、前記信号の信号強度と、前記信号を送信したスマート機器の識別子とを利用して、信号強度情報を生成するように構成される生成モジュールと、
前記生成モジュールによって生成された前記信号強度情報をグルーピング側へ送信するように構成される送信モジュールと、を備え、
前記ブロードキャストされた信号は、当該信号のブロードキャスト元であるスマート機器が送信電力を受信した後で前記送信電力に基づいて送信したものであり、
前記信号強度情報は、前記グルーピング側が取得された各信号強度情報に応じて、信号強度情報を生成した各スマート機器に対してグルーピングを行うようにトリガするために用いられることを特徴とするスマート機器グルーピング装置。
【請求項１７】
前記グルーピング側から送信された前記送信電力を受信するように構成される電力受信モジュールと、
前記電力受信モジュールによって受信された前記送信電力に基づいて、信号をブロードキャストするように構成されるブロードキャストモジュールと、をさらに備え、
前記信号には、前記信号をブロードキャストするスマート機器の識別子が付加されていることを特徴とする請求項１６に記載のスマート機器グルーピング装置。
【請求項１８】
プロセッサと、
プロセッサの実行可能な指令を記憶するためのメモリと、を備え、
前記プロセッサは、
選定された各スマート機器へ送信電力を送信し、
各スマート機器からフィードバックされた信号強度情報を取得し、
各スマート機器から送信された信号強度情報に応じて、前記選定された各スマート機器に対してグルーピングを行うように構成され、
前記信号強度情報は、前記スマート機器が信号を受信した後、前記信号の信号強度と、前記信号を送信したスマート機器の識別子とを利用して生成したものであり、前記信号は、前記信号を送信したスマート機器が前記送信電力に基づいてブロードキャストしたものであることを特徴とするスマート機器グルーピング装置。
【請求項１９】
スマート機器グルーピング装置であって、
プロセッサと、
プロセッサの実行可能な指令を記憶するためのメモリと、を備え、
前記プロセッサは、
他のスマート機器からブロードキャストされた信号を受信し、
同一のスマート機器から送信された信号について、前記信号の信号強度と、前記信号を送信したスマート機器の識別子とを利用して、信号強度情報を生成し、
前記信号強度情報をグルーピング側へ送信するように構成され、
前記ブロードキャストされた信号は、当該信号のブロードキャスト元であるスマート機器が送信電力を受信した後で前記送信電力に基づいて送信したものであり、
前記信号強度情報は、前記グルーピング側が取得された各信号強度情報に応じて、信号強度情報を生成した各スマート機器に対してグルーピングを行うようにトリガするために用いられることを特徴とするスマート機器グルーピング装置。
【発明の詳細な説明】
【技術分野】
【０００１】
本発明は、スマートホーム分野に関し、特にスマート機器グルーピングシステム、方法および装置に関する。
【背景技術】
【０００２】
スマートホームの発展に伴い、ユーザは、移動端末を介してスマートホーム機器を制御することができるようになる。
【０００３】
家庭におけるスマートホーム機器の数が多くなるにつれて、移動端末が制御すべきスマートホーム機器の数もますます多くなる。例えば、同一の部屋に複数のスマート電球が存在する可能性があり、これらの電球をオフにする必要が生じる場合、ユーザは、移動端末の機器リストにおいて一々選択してから一々オフせざるを得ない。このような、同一の部屋におけるスマート電球を一々選択して一々オフにする制御方式により、制御効率が非常に低くなる。
【発明の概要】
【発明が解決しようとする課題】
【０００４】
本発明は、スマート機器を一々選択して制御を行うことによる低制御効率という従来技術の問題を解決すべく、スマート機器グルーピングシステム、方法および装置を提供する。
【課題を解決するための手段】
【０００５】
本発明の実施例の第１態様によれば、スマート機器グルーピングシステムを提供する。前記システムは、グルーピング側と、少なくとも２つの選定されたスマート機器と、を含み、
前記グルーピング側は、前記選定された各スマート機器へ送信電力を送信するように構成され、
前記スマート機器は、前記送信電力に基づいて信号をブロードキャストし、他のスマート機器によって前記送信電力に基づいてブロードキャストされた信号を受信した後、前記信号の信号強度と、前記信号を送信したスマート機器の識別子とを利用して、信号強度情報を生成するように構成され、
前記グルーピング側は、さらに、各スマート機器によって生成された前記信号強度情報を取得し、前記信号強度情報に応じて前記選定された各スマート機器に対してグルーピングを行うように構成される。
【０００６】
本発明の実施例に供される技術案は、以下の格別な作用効果を奏することができる。グルーピング側がスマート機器へ送信電力を送信し、スマート機器が当該送信電力に基づいて信号をブロードキャストし、他のスマート機器によって当該送信電力に基づいてブロードキャストされた信号を受信し、受信した信号強度情報をグルーピング側へフィードバックし、グルーピング側が信号強度情報に応じてスマート機器をグルーピングすることで、グルーピング側が各スマート機器が同じ電力に基づいて信号をブロードキャストするように制御可能であり、他の各スマート機器から送信された信号の電力強度を採集し、さらに電力強度に応じて自動的にグルーピングすることができるため、スマート機器を一々選択して制御を行うことによる低制御効率という従来技術の問題を解決し、スマート機器を自動的にグルーピングして統合制御する効果を奏する。
【０００７】
好ましくは、前記信号強度情報は、前記信号強度情報を生成したスマート機器の識別子をさらに含み、
前記グルーピング側は、さらに、各信号強度情報に含まれる識別子を取得し、含まれる識別子が異なる信号強度情報を選別し、信号強度情報に含まれる信号強度に応じて、選別された前記信号強度情報に対してグルーピングを行い、各グループの信号強度情報に含まれる識別子を取得し、前記識別子を有するスマート機器を１つのグループにするように構成され、各グループの信号強度情報に含まれる信号強度同士の差分は、何れも所定差分閾値より小さい。
【０００８】
本発明の好適な実施例に供される技術案は、以下の格別な作用効果を奏することができる。同一の部屋での信号の伝搬の損失が小さく、異なる部屋での信号の伝搬の損失が大きいため、信号強度が所定差分閾値より小さい送信側および受信側を１つのグループにすることで、同一の部屋内における各スマート機器を同一のグループにすることを保証できる。
【０００９】
好ましくは、前記グルーピング側は、さらに、グルーピングされた各グループのスマート機器について、前記グループにおける各スマート機器の種別を取得し、前記グループにおける各スマート機器の種別に基づいて、前記グループにおける同一の種別であるスマート機器を１つのサブグループにするように構成され、前記種別は、スマート電球あるいはスマートコンセントである。
【００１０】
本発明の好適な実施例に供される技術案は、以下の格別な作用効果を奏することができる。同一の部屋内に多種のスマート機器が存在する可能性があるため、種別に応じて区分することで、ユーザが同一の部屋内におけるスマート機器に対してより便利に管理制御や保守することができる。例えば、部屋内におけるインテリジェントランプを同時にオフにして、または部屋内におけるスマートコンセントの電源入れ機能を同時にオンにする。
【００１１】
本発明の実施例の第２態様によれば、スマート機器グルーピング方法を提供する。前記方法は、
選定された各スマート機器へ送信電力を送信するステップと、
各スマート機器からフィードバックされた信号強度情報を取得するステップと、
各スマート機器から送信された信号強度情報に応じて、前記選定された各スマート機器に対してグルーピングを行うステップと、を含み、
前記信号強度情報は、前記スマート機器が信号を受信した後、前記信号の信号強度と、前記信号を送信したスマート機器の識別子とを利用して生成したものであり、前記信号は、前記信号を送信したスマート機器が前記送信電力に基づいてブロードキャストしたものである。
【００１２】
本発明の実施例に供される技術案は、以下の格別な作用効果を奏することができる。グルーピング側がスマート機器へ送信電力を送信し、スマート機器が当該送信電力に基づいて信号をブロードキャストし、他のスマート機器によって当該送信電力に基づいてブロードキャストされた信号を受信し、受信した信号強度情報をグルーピング側へフィードバックし、グルーピング側が信号強度情報に応じてスマート機器をグルーピングすることで、グルーピング側が各スマート機器が同じ電力に基づいて信号をブロードキャストするように制御可能であり、他の各スマート機器から送信された信号の電力強度を採集し、さらに電力強度に応じて自動的にグルーピングすることができるため、スマート機器を一々選択して制御を行うことによる低制御効率という従来技術の問題を解決し、スマート機器を自動的にグルーピングして統合制御する効果を奏する。
【００１３】
好ましくは、前記信号強度情報は、前記信号強度情報を生成したスマート機器の識別子をさらに含み、前記各スマート機器から送信された信号強度情報に応じて、前記選定された各スマート機器に対してグルーピングを行うステップは、
各信号強度情報に含まれる識別子を取得し、
含まれる識別子が異なる信号強度情報を選別し、
信号強度情報に含まれる信号強度に応じて、選別された前記信号強度情報に対してグルーピングを行い、
各グループの信号強度情報に含まれる識別子を取得し、前記識別子を有するスマート機器を１つのグループにして、
各グループの信号強度情報に含まれる信号強度同士の差分の絶対値は、何れも所定差分閾値より小さい。
【００１４】
本発明の好適な実施例に供される技術案は、以下の格別な作用効果を奏することができる。同一の部屋での信号の伝搬の損失が小さく、異なる部屋での信号の伝搬の損失が大きいため、信号強度が所定差分閾値より小さい送信側および受信側を１つのグループにすることで、同一の部屋内における各スマート機器を同一のグループにすることを保証できる。
【００１５】
好ましくは、前記方法は、さらに、
グルーピングされた各グループのスマート機器について、前記グループにおける各スマート機器の種別を取得するステップと、
前記グループにおける各スマート機器の種別に基づいて、前記グループにおける同一の種別であるスマート機器を１つのサブグループにするステップと、を含み、
前記種別は、スマート電球あるいはスマートコンセントである。
【００１６】
本発明の好適な実施例に供される技術案は、以下の格別な作用効果を奏することができる。同一の部屋内に多種のスマート機器が存在する可能性があるため、種別に応じて区分することで、ユーザが同一の部屋内におけるスマート機器に対してより便利に管理制御や保守することができる。例えば、部屋内におけるインテリジェントランプを同時にオフにして、または部屋内におけるスマートコンセントの電源入れ機能を同時にオンにする。
【００１７】
好ましくは、前記方法は、さらに、
同一のユーザアカウントとバインディングされた各スマート機器を前記選定された各スマート機器として特定するステップ、または、
同一のＬＡＮ内に位置する各スマート機器を前記選定された各スマート機器として特定するステップを含む。
【００１８】
本発明の好適な実施例に供される技術案は、以下の格別な作用効果を奏することができる。ユーザアカウントあるいはＬＡＮに基づいて、選定された各スマート機器を自動的に特定可能であるため、ユーザが自らスマート機器を追加する煩雑な手続きが回避されるとともに、取得した選定された各スマート機器の正確性も保証できる。
【００１９】
好ましくは、前記方法は、さらに、
指定のグループにおける各スマート機器を指示し制御するための制御指令を受信するステップと、
前記グループにおける各スマート機器へ前記制御指令を送信するステップとを含む。
【００２０】
本発明の好適な実施例に供される技術案は、以下の格別な作用効果を奏することができる。１つの指定のグループに対する制御指令に基づいて、当該グループにおける各スマート機器を制御可能であるため、制御効率が向上する。
【００２１】
本発明の実施例の第３態様によれば、スマート機器グルーピング方法を提供する。前記方法は、
他のスマート機器からブロードキャストされた信号を受信するステップと、
同一のスマート機器から送信された信号について、前記信号の信号強度と、前記信号を送信したスマート機器の識別子とを利用して、信号強度情報を生成するステップと、
前記信号強度情報をグルーピング側へ送信するステップと、を含み、
前記ブロードキャストされた信号は、当該信号のブロードキャスト元であるスマート機器が送信電力を受信した後で前記送信電力に基づいて送信したものであり、前記信号強度情報は、前記グルーピング側が取得された各信号強度情報に応じて、信号強度情報を生成した各スマート機器に対してグルーピングを行うようにトリガするために用いられる。
【００２２】
本発明の実施例に供される技術案は、以下の格別な作用効果を奏することができる。グルーピング側がスマート機器へ送信電力を送信し、スマート機器が当該送信電力に基づいて信号をブロードキャストし、他のスマート機器によって当該送信電力に基づいてブロードキャストされた信号を受信し、受信した信号強度情報をグルーピング側へフィードバックし、グルーピング側が信号強度情報に応じてスマート機器をグルーピングすることで、グルーピング側が各スマート機器が同じ電力に基づいて信号をブロードキャストするように制御可能であり、他の各スマート機器から送信された信号の電力強度を採集し、さらに電力強度に応じて自動的にグルーピングすることができるため、スマート機器を一々選択して制御を行うことによる低制御効率という従来技術の問題を解決し、スマート機器を自動的にグルーピングして統合制御する効果を奏する。
【００２３】
好ましくは、当該方法は、さらに、
前記グルーピング側から送信された前記送信電力を受信するステップと、
前記送信電力に基づいて信号をブロードキャストするステップと、を含み、
前記信号には、前記信号をブロードキャストするスマート機器の識別子が付加されている。
【００２４】
本発明は、上記第２態様および第３態様のスマート機器グルーピング方法をそれぞれ実現するために、スマート機器グルーピング装置を提供する。具体的に、下記の第４態様乃至第７態様の実現を参照すればよい。
【００２５】
本発明の実施例の第４態様によれば、スマート機器グルーピング装置を提供する。前記装置は、
選定された各スマート機器へ送信電力を送信するように構成される電力送信モジュールと、
各スマート機器からフィードバックされた信号強度情報を取得するように構成される取得モジュールと、
前記取得モジュールによって取得された各スマート機器から送信された信号強度情報に応じて、前記選定された各スマート機器に対してグルーピングを行うように構成されるグルーピングモジュールと、を備え、
前記信号強度情報は、前記スマート機器が信号を受信した後、前記信号の信号強度と、前記信号を送信したスマート機器の識別子とを利用して生成したものであり、前記信号は、前記信号を送信したスマート機器が前記電力送信モジュールによって送信された前記送信電力に基づいてブロードキャストしたものである。
【００２６】
好ましくは、前記取得モジュールによって取得された信号強度情報は、前記信号強度情報を生成したスマート機器の識別子をさらに含み、前記グルーピングモジュールは、
各信号強度情報に含まれる識別子を取得するように構成される識別子取得サブモジュールと、
含まれる識別子が異なる信号強度情報を選別するように構成される選別サブモジュールと、
信号強度情報に含まれる信号強度に応じて、前記選別サブモジュールによって選別された前記信号強度情報に対してグルーピングを行うように構成されるグルーピングサブモジュールと、
各グループの信号強度情報に含まれる識別子を取得し、前記識別子を有するスマート機器を１つのグループにするように構成される識別子区分サブモジュールと、を備え、各グループの信号強度情報に含まれる信号強度同士の差分の絶対値は、何れも所定差分閾値より小さい。
【００２７】
好ましくは、前記装置は、さらに、
グルーピングされた各グループのスマート機器について、前記グループにおける各スマート機器の種別を取得するように構成される種別取得サブモジュールと、
前記種別取得サブモジュールによって取得された前記グループにおける各スマート機器の種別に基づいて、前記グループにおける同一の種別であるスマート機器を１つのサブグループにするように構成される種別区分サブモジュールと、を備え、前記種別は、スマート電球あるいはスマートコンセントである。
【００２８】
好ましくは、前記装置は、さらに、
同一のユーザアカウントとバインディングされた各スマート機器を前記選定された各スマート機器として特定するように構成される第１特定モジュール、または、
同一のＬＡＮ内に位置する各スマート機器を前記選定された各スマート機器として特定するように構成される第２特定モジュールを備える。
【００２９】
好ましくは、前記装置は、さらに、
指定のグループにおける各スマート機器を指示し制御するための制御指令を受信するように構成される指令受信モジュールと、
前記グループにおける各スマート機器へ前記制御指令を送信するように構成される指令送信モジュールと、を備える。
【００３０】
本発明の実施例の第５態様によれば、スマート機器グルーピング装置を提供する。前記装置は、
他のスマート機器からブロードキャストされた信号を受信するように構成される受信モジュールと、
同一のスマート機器から送信された信号について、前記信号の信号強度と、前記信号を送信したスマート機器の識別子とを利用して、信号強度情報を生成するように構成される生成モジュールと、
前記信号強度情報をグルーピング側へ送信するように構成される送信モジュールとを備え、
前記ブロードキャストされた信号は、当該信号のブロードキャスト元であるスマート機器が送信電力を受信した後で前記送信電力に基づいて送信したものであり、前記信号強度情報は、前記グルーピング側が取得された各信号強度情報に応じて、信号強度情報を生成した各スマート機器に対してグルーピングを行うようにトリガするために用いられる。
【００３１】
好ましくは、前記装置は、さらに、
前記グルーピング側から送信された前記送信電力を受信するように構成される電力受信モジュールと、
前記電力受信モジュールによって受信された前記送信電力に基づいて、信号をブロードキャストするように構成されるブロードキャストモジュールとを備え、前記信号には、前記信号をブロードキャストするスマート機器の識別子が付加されている。
【００３２】
本発明の実施例の第６態様によれば、スマート機器グルーピング装置を提供する。前記装置は、
プロセッサと、
プロセッサの実行可能な指令を記憶するためのメモリと、を備え、
前記プロセッサは、
選定された各スマート機器へ送信電力を送信し、
各スマート機器からフィードバックされた信号強度情報を取得し、
各スマート機器から送信された信号強度情報に応じて、前記選定された各スマート機器に対してグルーピングを行うように構成され、
前記信号強度情報は、前記スマート機器が信号を受信した後、前記信号の信号強度と、前記信号を送信したスマート機器の識別子とを利用して生成したものであり、前記信号は、前記信号を送信したスマート機器が前記送信電力に基づいてブロードキャストしたものである。
【００３３】
本発明の実施例の第７態様によれば、スマート機器グルーピング装置を提供する。前記装置は、
プロセッサと、
プロセッサの実行可能な指令を記憶するためのメモリと、を備え、
前記プロセッサは、
他のスマート機器からブロードキャストされた信号を受信し、
同一のスマート機器から送信された信号について、前記信号の信号強度と、前記信号を送信したスマート機器の識別子とを利用して、信号強度情報を生成し、
前記信号強度情報をグルーピング側へ送信するように構成され、
前記ブロードキャストされた信号は、当該信号のブロードキャスト元であるスマート機器が送信電力を受信した後で前記送信電力に基づいて送信したものであり、前記信号強度情報は、前記グルーピング側が取得された各信号強度情報に応じて、信号強度情報を生成した各スマート機器に対してグルーピングを行うようにトリガするために用いられる。
【００３４】
上述した記述および後文の詳細な説明が単に例示であり、本発明を制限するためのものではないことは、理解されるべきである。
【図面の簡単な説明】
【００３５】
ここでの図面は、明細書を構成する一部として見なされ、本発明に適した実施例を示し、かつ、明細書の文字記載とともに本発明の仕組みを解釈するために用いられる。
【図１】一部の実施例によるスマート機器グルーピング方法に係る実施環境を示す模式図である。
【図２Ａ】ある実施例によるスマート機器グルーピングシステムの構造を示すブロック図である。
【図２Ｂ】ある実施例による２つの部屋におけるスマート機器をグルーピングする模式図である。
【図３】ある実施例によるスマート機器グルーピング方法を示すフローチャートである。
【図４】別の実施例によるスマート機器グルーピング方法を示すフローチャートである。
【図５】他の実施例によるスマート機器グルーピング方法を示すフローチャートである。
【図６】さらに別の実施例によるスマート機器グルーピング方法を示すフローチャートである。
【図７】ある実施例によるスマート機器グルーピング装置を示すブロック図である。
【図８】別の実施例によるスマート機器グルーピング装置を示すブロック図である。
【図９】他の実施例によるスマート機器グルーピング装置を示すブロック図である。
【図１０】さらに別の実施例によるスマート機器グルーピング装置を示すブロック図である。
【図１１】ある実施例によるスマート機器をグルーピングするための装置を示すブロック図である。
【図１２】別の実施例によるスマート機器をグルーピングするための装置を示すブロック図である。
【発明を実施するための形態】
【００３６】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付の特許請求の範囲に記載されているように、本発明の一部の態様と一致する装置および方法の例に過ぎない。
【００３７】
図１は、一部の実施例によるスマート機器グルーピング方法に関わる実施環境を示す模式図である。図１に示すように、当該実施環境において、グルーピング側１２０と、少なくとも２つのスマート機器１４０とを含んでもよい。
【００３８】
グルーピング側１２０は、演算機能を有する機器、例えば、携帯電話、タブレットＰＣ、サーバ等であってもよい。
【００３９】
スマート機器１４０は、無線信号送受信機能を有する機器であってもよい。例えば、スマート電球、スマートコンセント、スマートテレビ等であってもよい。実際のホーン応用場面において、一部のスマート機器１４０が同一の部屋に位置し、もう一部のスマート機器１４０が別の部屋に位置する。ユーザは、同一の部屋におけるあらゆるスマート機器を同時に制御することを選択できる。
【００４０】
スマート機器１４０間は、無線ネットワーク方式により接続されてもよい。ここで言う無線ネットワーク方式は、ブルートゥース（登録商標）、ＮＦＣ（Ｎｅａｒ  Ｆｉｅｌｄ  Ｃｏｍｍｕｎｉｃａｔｉｏｎ、近距離無線通信技術）及びＺｉｇｂｅｅ（Ｚｉｇｚａｇ  Ｆｌｙｉｎｇ  ｏｆ  Ｂｅｅｓ、ジグビー）方式。
【００４１】
グルーピング側１２０とスマート機器１４０の間は、有線ネットワーク方式あるいは無線ネットワーク方式により接続が確立されてもよい。
【００４２】
好ましくは、当該実施環境は、さらにルータ１６０を含んでもよい。ルータ１６０は、グルーピング側１２０およびスマート機器１４０へＷｉ−Ｆｉ（Ｗｉｒｅｌｅｓｓ−Ｆｉｄｅｌｉｔｙ、無線フィデリティ）接続を提供する。
【００４３】
図２Ａは、ある実施例によるスマート機器グルーピングシステムを示すブロック図である。図２Ａに示すように、当該スマート機器グルーピングシステムは、グルーピング側２１０と、少なくとも２つの選定されたスマート機器２２０とを含んでもよい。
【００４４】
グルーピング側２１０は、選定された各スマート機器へ送信電力を送信するように構成される。
【００４５】
好ましくは、グルーピング側２１０は、選定された各スマート機器を特定する際、同一のアカウントとバインディングされた各スマート機器２２０を選定された各スマート機器２２０として特定してもよい。
【００４６】
例えば、スマートホーム生活において、ユーザは、家にある各種のスマート機器２２０を同一のアカウントとバインディングしてもよい。その際、グルーピング側２１０は、当該アカウントにバインディングされた各スマート機器２２０を取得してから、これらのスマート機器２２０へ当該送信電力を送信することができる。
【００４７】
好ましくは、グルーピング側２１０は、選定された各スマート機器を特定する際、同一のＬＡＮ内に位置する各スマート機器を選定された各スマート機器として特定してもよい。
【００４８】
ここで言うＬＡＮは、家庭に対応するＬＡＮや、オフィスに対応するＬＡＮ、または会社に対応するＬＡＮであってもよい。無論、コミュニティに対応するＬＡＮであってもよい。本実施例は、ＬＡＮについて限定しない。
【００４９】
ＬＡＮが家庭内のＬＡＮであることを例として、実際のスマートホーム生活において、家庭内のルータは、ルータに接続された各スマート機器２２０を知ることができる。その際、グルーピング側２１０は、ルータに接続されているスマート機器２２０をルータへ要求してもよい。ルータは、当該要求に応じて、グルーピング側２１０へルータに接続されているスマート機器２２０の識別子をフィードバックし、グルーピング側２１０は、これらのスマート機器２２０を選定されたスマート機器２２０として特定してもよい。
【００５０】
グルーピング側２１０は、選定された各スマート機器２２０へ送信電力を送信し、当該送信電力は、各スマート機器２２０が当該送信電力に基づいて外へ信号をブロードキャストするよう指示するために用いられる。
【００５１】
実際の応用において、グルーピング側２１０は、当該送信電力を送信する際、一般的に、当該送信電力を１つのパラメータとして、当該パラメータをデータパケットに付加する。つまり、当該データパケットに送信電力を示すパラメータが含まれる場合、グルーピング側２１０は、選定された各スマート機器２２０へ当該データパケットを送信する。
【００５２】
スマート機器２２０は、グルーピング側２１０から送信された送信電力に基づいて信号をブロードキャストし、他のスマート機器２２０がグルーピング側２１０から送信された送信電力に基づいてブロードキャストした信号を受信した後、当該信号の信号強度と、当該信号を送信したスマート機器２２０の識別子とを利用して、信号強度情報を知能的に生成するように構成される。
【００５３】
スマート機器２２０は、グルーピング側２１０から送信された送信電力を受信すると、当該送信電力に基づいて信号をブロードキャストし、他のスマート機器２２０によって当該送信電力に基づいてブロードキャストされた信号を受信する。
【００５４】
各スマート機器２２０間の距離にパラツキが存在し、またはスマート機器２２０間に異なる障害物が存在するため、各スマート機器２２０の間で互いに信号をブロードキャストするとき、信号減衰度合いにパラツキが存在し、スマート機器２２０で受信された信号の強度にもパラツキが存在する。
【００５５】
スマート機器２２０は、受信された信号の信号強度と、当該信号強度に対応する信号の送信側の識別子とに応じて、信号強度情報を生成し、信号強度情報をグルーピング側２１０へフィードバックする。
【００５６】
つまり、信号強度情報は、少なくとも信号を送信したスマート機器の識別子と、高強度の信号を受信したときの信号強度とを含む。
【００５７】
好ましくは、当該信号強度情報は、一般的に、当該信号を受信したスマート機器の識別子、すなわち、当該信号強度情報を生成したスマート機器の識別子を含んでもよい。
【００５８】
グルーピング側２１０は、さらに、各スマート機器２２０で生成された信号強度情報を取得し、当該信号強度情報に応じて、選定された各スマート機器２２０に対してグルーピングを行うように構成される。
【００５９】
ある可能な実施形態において、グルーピング側２１０は、さらに、各信号強度情報に含まれる識別子を取得し、含まれる識別子が異なる信号強度情報を選別し、信号強度情報に含まれる信号強度に応じて、選別された信号強度情報に対してグルーピングを行い、各グループの信号強度情報に含まれる識別子を取得し、これらの識別子を有するスマート機器を１つのグループにするように構成され、各グループの信号強度情報に含まれる信号強度同士の差分は、何れも所定差分閾値より小さい。
【００６０】
信号強度情報の定義から分かるように、信号強度情報は、信号を受信する際の信号強度を含むに加えて、当該信号に関連する送信側の識別子と受信側の識別子とをさらに含む。そのため、同一の信号強度情報について、含まれる識別子は、受信側と送信側との識別子を含む。
【００６１】
実施時において、各スマート機器が信号を送信する際、１回の送信に限られない可能性がある。例えば、５ｓごとに１回送信してもよい。同じ２つのスマート機器の間で送信された少なくとも１つの信号にとって、信号強度情報を複数回生成する可能性があり、且つこれらの信号強度情報に関わる信号強度の差別も非常に小さく、さらに、２つのスマート機器の間で互いに伝送された信号（例えば、第１スマート機器から第２スマート機器へ伝送された信号、および、第２スマート機器から第１スマート機器へ伝送された信号）の信号強度の差別も非常に小さい。そのため、重複判定を回避するために、同じ２つのスマート機器の間の信号強度情報について、１つのみを選択して後続のグルーピング判定に使用されてもよい。つまり、含まれる識別子が異なる信号強度情報を先に選別してもよい。
【００６２】
含まれる識別子が異なる信号強度情報を選別する際、含まれるその中の１つの識別子が既存の信号強度情報と異なる限り、当該信号強度情報を選別してもよい。
【００６３】
グルーピング側２１０は、含まれる識別子が異なる信号強度情報を選別した後、信号強度情報における信号強度に応じてグルーピングを行う。グルーピングの際には、各グループの信号強度情報に含まれる信号強度同士の差分が何れも所定差分閾値より小さいように、グルーピングを行ってもよい。
【００６４】
例を挙げると、図２Ｂに示すように、ある実施例による２つの部屋のスマート機器に対してグルーピングを行う模式図である。第１部屋には、スマート機器Ａおよびスマート機器Ｂが含まれ、第２部屋には、スマート機器Ｃおよびスマート機器Ｄが含まれる。グルーピング側は、まず、これらの４つのスマート機器へ送信電力を送信し、これらの４つのスマート機器は、この送信電力に基づいて信号をブロードキャストする。その中の１つのスマート機器が送信した信号は、ほかの３つのスマート機器によって受信され得る。しかし、同一の部屋内におけるスマート機器にとって、信号が伝送過程において損失が比較的に小さい一方、異なる部屋内における２つのスマート機器にとって、信号が両者間で伝送する時の損失が比較的に大きい。そのため、スマート機器Ａが信号をブロードキャストするとき、スマート機器Ｂが当該信号を受信した場合に当該信号の信号強度が大きい一方、スマート機器Ｃとスマート機器Ｄが当該信号を受信した場合に当該信号の信号強度が一般的に小さい。その際、グルーピング側は、スマート機器Ａとスマート機器Ｂとを１つのグループとして判定してもよい。類似的に、グルーピング側は、さらに、スマート機器Ｃとスマート機器Ｄとを１つのグループとして判定してもよい。
【００６５】
無論、同一の部屋の各スマート機器について、上記グルーピング方式により、何れも１つのグループ内に判定してもよい。その一方、別の部屋の各スマート機器について、上記グルーピング方式により、これらのスマート機器を別のグルーピング内に判定してもよい。これにより、異なる部屋のスマート機器が異なるグループにされ、同一の部屋内のスマート機器が同一のグルーピングにされる。
【００６６】
ある可能な実現形態において、同一の部屋内に異なるスマート機器が存在する可能性があり、実際の需要において、ユーザが同一の種別であるスマート機器のみに対して制御する可能性がある。例えば、同一の部屋内のあらゆるインテリジェントランプを制御すればよく、当該部屋内の他の種別のスマート機器を制御する必要がない。その際、グルーピング側２１０は、さらに、グルーピングされた各グループのスマート機器２２０について、グループにおける各スマート機器２２０の種別を取得し、グループにおける各スマート機器２２０の種別に応じて、グループにおける同種別であるスマート機器２２０を１つの子グループにするように構成され、種別は、電球あるいはスマートコンセントである。
【００６７】
つまり、グルーピング側２１０は、スマート機器２２０の種別に応じて、電球を１つの子グループに区分し、スマートコンセントを別の子グループに区分することができる。こうして、各子グループに対して単独制御可能である。
【００６８】
好ましくは、グルーピング側２１０は、各スマート機器２２０の種別を取得する際、信号強度情報に含まれるスマート機器２２０の識別子に応じて、スマート機器２２０の種別を区分してもよい。
【００６９】
例えば、グルーピング側２１０は、信号強度情報に含まれる信号強度に応じて、各スマート機器２２０に対してグルーピングを行い、グルーピングで得られた各グループのスマート機器２２０に含まれるスマート機器２２０の種別が複数種類がある場合もある。例えば、グループに電球、スマートコンセント等が含まれる。その際、同一の種別であるスマート機器に対して同期制御するように、種別に応じてさらに区分してもよい。
【００７０】
このように、本発明の実施例に供されるスマート機器グルーピングシステムによれば、グルーピング側がスマート機器へ送信電力を送信し、スマート機器が当該送信電力に基づいて信号をブロードキャストし、他のスマート機器によって当該送信電力に基づいてブロードキャストされた信号を受信し、受信した信号強度情報をグルーピング側へフィードバックし、グルーピング側が信号強度情報に応じてスマート機器をグルーピングすることで、グルーピング側が各スマート機器が同じ電力に基づいて信号をブロードキャストするように制御可能であり、他の各スマート機器から送信された信号の電力強度を採集し、さらに電力強度に応じて自動的にグルーピングすることができるため、スマート機器を一々選択して制御を行うことによる低制御効率という従来技術の問題を解決し、スマート機器を自動的にグルーピングして統合制御する効果を奏する。
【００７１】
同一の部屋での信号の伝搬の損失が小さく、異なる部屋での信号の伝搬の損失が大きいため、信号強度が所定差分閾値より小さい送信側および受信側を１つのグループにすることで、同一の部屋内における各スマート機器を同一のグループにすることを保証できる。
【００７２】
同一の部屋内に多種のスマート機器が存在する可能性があるため、種別に応じて区分することで、ユーザが同一の部屋内におけるスマート機器に対してより便利に管理制御や保守することができる。例えば、部屋内におけるインテリジェントランプを同時にオフにして、または部屋内におけるスマートコンセントの電源入れ機能を同時にオンにする。
【００７３】
図３は、ある実施例によるスマート機器グルーピング方法を示すフローチャートである。図３に示すように、当該スマート機器グルーピング方法は、図１に示す実施環境におけるグルーピング側１２０に適用され、当該スマート機器グルーピング方法は、以下のステップを含んでもよい。
【００７４】
ステップ３０１では、選定された各スマート機器へ送信電力を送信する。
【００７５】
ステップ３０２では、各スマート機器からフィードバックされた信号強度情報を取得し、当該信号強度情報は、上記スマート機器が信号を受信した後、当該信号の信号強度と、当該信号を送信したスマート機器の識別子とを利用して生成したものであり、当該信号は、当該信号を送信したスマート機器が上記送信電力に基づいてブロードキャストしたものである。
【００７６】
ステップ３０３では、各スマート機器から送信された信号強度情報に応じて、選定された各スマート機器に対してグルーピングを行う。
【００７７】
このように、本発明の実施例に供されるスマート機器グルーピング方法によれば、グルーピング側がスマート機器へ送信電力を送信し、スマート機器が当該送信電力に基づいて信号をブロードキャストし、他のスマート機器によって当該送信電力に基づいてブロードキャストされた信号を受信し、受信した信号強度情報をグルーピング側へフィードバックし、グルーピング側が信号強度情報に応じてスマート機器をグルーピングすることで、グルーピング側が各スマート機器が同じ電力に基づいて信号をブロードキャストするように制御可能であり、他の各スマート機器から送信された信号の電力強度を採集し、さらに電力強度に応じて自動的にグルーピングすることができるため、スマート機器を一々選択して制御を行うことによる低制御効率という従来技術の問題を解決し、スマート機器を自動的にグルーピングして統合制御する効果を奏する。
【００７８】
図４は、別の実施例によるスマート機器グルーピング方法を示すフローチャートである。図４に示すように、当該スマート機器グルーピング方法は、図１に示す実施環境におけるグルーピング側１２０に適用され、以下のステップを含んでもよい。
【００７９】
ステップ４０１では、グルーピング側は、選定された各スマート機器へ送信電力を送信する。
【００８０】
グルーピング側は、演算機能を有する機器、例えば、携帯電話、サーバ、タブレットＰＣ、コンピュータメッセージ送受信機等であってもよい。
【００８１】
ある可能な実施形態において、グルーピング側は、同一のユーザアカウントとバインディングされた各スマート機器を、選定された各スマート機器として特定し、または、同一ＬＡＮ内に位置する各スマート機器を、選定された各スマート機器として特定してもよい。
【００８２】
ステップ４０２では、グルーピング側は、各スマート機器からフィードバックされた信号強度情報を取得する。
【００８３】
当該信号強度情報は、スマート機器がグルーピング側から送信された信号を受信した後、信号の信号強度と、当該信号を送信したスマート機器の識別子とを利用して生成したものである。スマート機器は、当該信号強度情報を生成する際、同時に自身の識別子を含めることができる。当該信号は、当該信号を送信したスマート機器が送信電力に基づいてブロードキャストしたものである。
【００８４】
ステップ４０３では、グルーピング側は、スマート端末からフィードバックされた各信号強度情報に含まれる識別子を取得する。
【００８５】
ステップ４０４では、グルーピング側は、信号強度情報に含まれる識別子が異なる信号強度情報を選別する。
【００８６】
信号強度情報の定義から分かるように、信号強度情報は、信号を受信する際の信号強度を含むに加えて、当該信号に関連する送信側の識別子と受信側の識別子とをさらに含む。そのため、同一の信号強度情報について、含まれる識別子は、受信側と送信側との識別子を含む。
【００８７】
実施時において、各スマート機器が信号を送信する際、１回の送信に限られない可能性がある。例えば、５ｓごとに１回送信してもよい。同じ２つのスマート機器の間で送信された少なくとも１つの信号にとって、信号強度情報を複数回生成する可能性があり、且つこれらの信号強度情報に関わる信号強度の差別も非常に小さい。そのため、重複判定を回避するために、同じ２つのスマート機器の間の信号強度情報について、１つのみを選択して後続のグルーピング判定に使用されてもよい。つまり、含まれる識別子が異なる信号強度情報を先に選別してもよい。
【００８８】
含まれる識別子が異なる信号強度情報を選別する際、含まれるその中の１つの識別子が既存の信号強度情報と異なる限り、当該信号強度情報を選別してもよい。
【００８９】
例えば、スマート機器Ａ、スマート機器Ｂおよびスマート機器Ｃが何れも外へ信号をブロードキャストする。スマート機器Ａは、スマート機器Ｂからブロードキャストされた信号を受信した時、当該信号の信号強度に基づいて強度情報１を生成し、スマート機器Ａは、スマート機器Ｃからブロードキャストされた信号を受信した時、当該信号の信号強度に基づいて信号強度情報２を生成し、スマート機器Ｂは、スマート機器Ａからブロードキャストされた信号を受信した時、当該信号の信号強度に基づいて信号強度情報３を生成し、スマート機器Ｂは、スマート機器Ｃの信号を受信した時、当該信号の信号強度に基づいて信号強度情報４を生成し、スマート機器Ｃは、スマート機器Ａからブロードキャストされた信号を受信した時、当該信号の信号強度に基づいて信号強度情報５を生成し、スマート機器Ｃは、スマート機器Ｂからブロードキャストされた信号を受信した時、当該信号の信号強度に基づいて信号強度情報６を生成する。詳細は、表１を参照されたい。
【００９０】
【表１】
0006275268.tif 000002
グルーピング側で選別された信号強度情報に含まれる識別子が異なる。信号強度情報１と信号強度情報３に含まれる識別子が何れもＡとＢであり、信号強度情報２と信号強度情報５に含まれる識別子が何れもＡとＣであり、信号強度情報４と信号強度情報６に含まれる識別子が何れもＢとＣである。グルーピング側は、信号強度情報に含まれる異なる識別子に基づいて、信号強度情報１と信号強度情報３のうちの１つ、信号強度情報２と信号強度情報５のうちの１つ、および信号強度情報４と信号強度情報６のうちの１つを選別する。
【００９１】
説明すべきことは、説明の便宜上、上記識別子が数字で示されたが、実際の実現過程において、識別子がアルファベット、記号、数字等のうちの少なくとも１つであってもよいし、アルファベット、数字、記号等のうちの少なくとも２つの組み合わせであってもよい。本発明は、スマート機器の識別子の具体的な表現について限定しない。
【００９２】
ステップ４０５では、グルーピング側は、情報強度情報に含まれる信号強度に応じて、選別された信号強度情報に対してグルーピングを行い、各グループの信号強度情報に含まれる信号強度同士の差分の絶対値は、何れも所定差分閾値より小さい。
【００９３】
ある可能な実施形態では、所定差分閾値は、グルーピング側のシステムによって推薦されてもよいし、ユーザによって設定および修正されてもよい。
【００９４】
所定差分閾値が５ｄｂｍであることを例として、表１を参照すると、グルーピング側は、信号強度情報における信号強度に応じて、信号強度情報１と信号強度情報２を選別する。
【００９５】
ステップ４０６では、グルーピング側は、各グループの信号強度情報に含まれる識別子を取得し、識別子を有するスマート機器を１つのグループにする。
【００９６】
表１を参照すると、グルーピング側は、信号強度情報１および信号強度情報２に含まれる識別子、即ち、Ａ、Ｂ、Ｃを取得し、スマート機器Ａ、ＢおよびＣを１つのグループにする。
【００９７】
ある可能な実施形態では、グルーピングにより得られたグループをさらに区分してもよい。具体的な区分方法は、以下のステップを含んでもよい。
【００９８】
ステップ４０７では、グルーピングされた各グループのスマート機器について、グルーピング側は、グループにおける各スマート機器の種別を取得し、当該種別は、スマート電球あるいはスマートコンセントである。
【００９９】
ステップ４０８では、グループにおける各スマート機器の種別に応じて、グルーピング側は、グループにおける同一の種別であるスマート機器を１つの子グループにする。
【０１００】
ある可能な実施形態では、グルーピング側は、指定のグループにおける各スマート機器を指示し制御するための制御指令を受信し、グループにおける各スマート機器へ当該制御指令を送信し、スマート機器は、当該制御指令を受信し、制御指令に従って対応する操作を実行する。当該対応する操作は、オン、オフ、該当運転モードの調整等であってもよい。
【０１０１】
このように、本発明の実施例に供されるスマート機器グルーピング方法によれば、グルーピング側がスマート機器へ送信電力を送信し、スマート機器が当該送信電力に基づいて信号をブロードキャストし、他のスマート機器によって当該送信電力に基づいてブロードキャストされた信号を受信し、受信した信号強度情報をグルーピング側へフィードバックし、グルーピング側が信号強度情報に応じてスマート機器をグルーピングすることで、グルーピング側が各スマート機器が同じ電力に基づいて信号をブロードキャストするように制御可能であり、他の各スマート機器から送信された信号の電力強度を採集し、さらに電力強度に応じて自動的にグルーピングすることができるため、スマート機器を一々選択して制御を行うことによる低制御効率という従来技術の問題を解決し、スマート機器を自動的にグルーピングして統合制御する効果を奏する。
【０１０２】
同一の部屋での信号の伝搬の損失が小さく、異なる部屋での信号の伝搬の損失が大きいため、信号強度が所定差分閾値より小さい送信側および受信側を１つのグループにすることで、同一の部屋内における各スマート機器を同一のグループにすることを保証できる。
【０１０３】
同一の部屋内に多種のスマート機器が存在する可能性があるため、種別に応じて区分することで、ユーザが同一の部屋内におけるスマート機器に対してより便利に管理制御や保守することができる。例えば、部屋内におけるインテリジェントランプを同時にオフにして、または部屋内におけるスマートコンセントの電源入れ機能を同時にオンにする。
【０１０４】
ユーザアカウントあるいはＬＡＮに基づいて、選定された各スマート機器を自動的に特定可能であるため、ユーザが自らスマート機器を追加する煩雑な手続きが回避されるとともに、取得した選定された各スマート機器の正確性も保証できる。
【０１０５】
１つの指定のグループに対する制御指令に基づいて、当該グループにおける各スマート機器を制御可能であるため、制御効率が向上する。
【０１０６】
図５は、他の実施例によるスマート機器グルーピング方法を示すフローチャートである。図５に示すように、当該スマート機器グルーピング方法は、図１に示す実施環境におけるスマート機器１４０に適用され、当該スマート機器グルーピング方法は、以下のステップを含んでもよい。
【０１０７】
ステップ５０１では、他のスマート機器からブロードキャストされた信号を受信し、当該信号は、当該信号をブロードキャストしたスマート機器が送信電力を受信した後で当該送信電力に基づいて送信したものである。
【０１０８】
ステップ５０２では、同一のスマート機器から送信された信号について、当該信号の信号強度と、当該信号を送信したスマート機器の識別子とを利用して、信号強度情報を生成する。
【０１０９】
ステップ５０３では、信号強度情報をグルーピング側へ送信し、当該信号強度情報は、グルーピング側が取得された各信号強度情報に基づいて、信号強度情報を生成した各スマート機器に対してグルーピングを行うようにトリガするために用いられる。
【０１１０】
このように、本発明の実施例に供されるスマート機器グルーピング方法によれば、グルーピング側がスマート機器へ送信電力を送信し、スマート機器が当該送信電力に基づいて信号をブロードキャストし、他のスマート機器によって当該送信電力に基づいてブロードキャストされた信号を受信し、受信した信号強度情報をグルーピング側へフィードバックし、グルーピング側が信号強度情報に応じてスマート機器をグルーピングすることで、グルーピング側が各スマート機器が同じ電力に基づいて信号をブロードキャストするように制御可能であり、他の各スマート機器から送信された信号の電力強度を採集し、さらに電力強度に応じて自動的にグルーピングすることができるため、スマート機器を一々選択して制御を行うことによる低制御効率という従来技術の問題を解決し、スマート機器を自動的にグルーピングして統合制御する効果を奏する。
【０１１１】
図６は、さらに別の実施例によるスマート機器グルーピング方法を示すフローチャートである。図６に示すように、当該スマート機器グルーピング方法は、図１に示す実施環境におけるスマート機器１４０に適用され、当該スマート機器グルーピング方法は、以下のステップを含んでもよい。
【０１１２】
ステップ６０１では、スマート機器がグルーピング側から送信された送信電力を受信する。
【０１１３】
スマート機器は、無線信号送受信機能を有する機器、例えば、スマート電球、スマートコンセント、スマートテレビ、スマートエアコン等のスマートホームであってもよい。
【０１１４】
ステップ６０２では、スマート機器は、当該送信電力に基づいて信号をブロードキャストし、当該信号には、当該信号をブロードキャストしたスマート機器の識別子が付加されている。
【０１１５】
スマート機器は、グルーピング側から送信された送信電力を受信した後、当該送信電力に基づいて信号をブロードキャストしてもよい。
【０１１６】
実施時において、信号送信失敗または信号が他の信号の干渉によって深刻に干渉されることに起因して、グルーピング側がグルーピングに成功できないことを回避するために、スマート機器は、当該送信電力に基づいて、信号を複数回ブロードキャストしてもよい。
【０１１７】
例えば、スマート機器は、所定時間間隔ごとに、当該送信電力に基づいて信号をブロードキャストしてもよい。ここでの所定時間間隔も、グルーピング側で指定されてもよい。例えば、グルーピング側は、送信電力および指定の所定時間間隔を同一のデータパケットに付加して、選定された各スマート機器へ当該データパケットを送信してもよい。こうして、スマート機器は、当該データパケットを受信した後、所定時間間隔ごとに、当該送信電力に基づいて信号をブロードキャストすることができる。
【０１１８】
無論、スマート機器は、所定数の信号をブロードキャストしてもよい。ここでの所定数も、グルーピング側で指定されてもよい。例えば、グルーピング側は、送信電力および指定の所定数を同一のデータパケットに付加して、選定された各スマート機器へ当該データパケットを送信してもよい。こうして、スマート機器は、当該データパケットを受信した後、当該送信電力に基づいて所定数の信号をブロードキャストしてもよい。
【０１１９】
ステップ６０３では、スマート機器は、他のスマート機器からブロードキャストされた信号を受信し、当該信号は、当該信号をブロードキャストしたスマート機器が送信電力を受信した後で当該送信電力に基づいて送信したものである。
【０１２０】
ステップ６０４では、同一のスマート機器から送信された信号について、スマート機器は、当該信号の信号強度と、当該信号を送信したスマート機器の識別子とを利用して、信号強度情報を生成する。
【０１２１】
好ましくは、生成された信号強度情報は、当該信号強度情報を生成したスマート機器の識別子、即ち、当該信号を受信したスマート機器の識別子をさらに含んでもよい。
【０１２２】
ステップ６０５では、スマート機器は、グルーピング側へ当該信号強度情報を送信し、当該信号強度情報は、当該グルーピング側が取得された各信号強度情報に応じて、信号強度情報を生成した各スマート機器に対してグルーピングを行うようにトリガするために用いられる。
【０１２３】
グルーピング側が取得された各信号強度情報に応じて各スマート機器に対してグルーピングを行う手順は、システムの記述を参照すればよいため、ここで繰り返し説明しない。
【０１２４】
このように、本発明の実施例に供されるスマート機器グルーピング方法によれば、グルーピング側がスマート機器へ送信電力を送信し、スマート機器が当該送信電力に基づいて信号をブロードキャストし、他のスマート機器によって当該送信電力に基づいてブロードキャストされた信号を受信し、受信した信号強度情報をグルーピング側へフィードバックし、グルーピング側が信号強度情報に応じてスマート機器をグルーピングすることで、グルーピング側が各スマート機器が同じ電力に基づいて信号をブロードキャストするように制御可能であり、他の各スマート機器から送信された信号の電力強度を採集し、さらに電力強度に応じて自動的にグルーピングすることができるため、スマート機器を一々選択して制御を行うことによる低制御効率という従来技術の問題を解決し、スマート機器を自動的にグルーピングして統合制御する効果を奏する。
【０１２５】
下記は、本発明の方法実施例を実行できる本発明の装置実施例である。本発明の装置実施例に開示されていない詳細について、本発明の方法実施例を参照すればよい。
【０１２６】
図７は、ある実施例によるスマート機器グルーピング装置を示すブロック図である。当該スマート機器グルーピング装置は、ソフトウェア、ハードウェアまたは両者の組み合わせで、上記実施環境におけるグルーピング側１２０の全部または一部として実現されてもよい。図７に示すように、当該スマート機器グルーピング装置は、電力送信モジュール７１０、取得モジュール７２０およびグルーピングモジュール７３０を備える。
【０１２７】
電力送信モジュール７１０は、選定された各スマート機器へ送信電力を送信するように構成される。
【０１２８】
取得モジュール７２０は、各スマート機器からフィードバックされた信号強度情報を取得するように構成される。当該信号強度情報は、当該スマート機器が信号を受信した後、当該信号の信号強度と、信号を送信したスマート機器の識別子とを利用して生成したものであり、当該信号は、当該信号を送信したスマート機器が電力送信モジュール７１０で送信された送信電力に基づいてブロードキャストしたものである。
【０１２９】
グルーピングモジュール７３０は、取得モジュール７２０で取得された、各スマート機器から送信された信号強度情報に応じて、選定された各スマート機器に対してグルーピングを行うように構成される。
【０１３０】
このように、本発明の実施例に供されるスマート機器グルーピング装置によれば、グルーピング側がスマート機器へ送信電力を送信し、スマート機器が当該送信電力に基づいて信号をブロードキャストし、他のスマート機器によって当該送信電力に基づいてブロードキャストされた信号を受信し、受信した信号強度情報をグルーピング側へフィードバックし、グルーピング側が信号強度情報に応じてスマート機器をグルーピングすることで、グルーピング側が各スマート機器が同じ電力に基づいて信号をブロードキャストするように制御可能であり、他の各スマート機器から送信された信号の電力強度を採集し、さらに電力強度に応じて自動的にグルーピングすることができるため、スマート機器を一々選択して制御を行うことによる低制御効率という従来技術の問題を解決し、スマート機器を自動的にグルーピングして統合制御する効果を奏する。
【０１３１】
図８は、別の実施例によるスマート機器グルーピング装置を示すブロック図である。当該スマート機器グルーピング装置は、ソフトウェア、ハードウェアまたは両者の組み合わせで上記実施環境におけるグルーピング側１２０の全部または一部として実現されてもよい。図８に示すように、当該スマート機器グルーピング装置は、電力送信モジュール８１０、取得モジュール８２０およびグルーピングモジュール８３０を備える。
【０１３２】
電力送信モジュール８１０は、選定された各スマート機器へ送信電力を送信するように構成される。
【０１３３】
グルーピング側は、選定された各スマート機器へ送信電力を送信し、当該送信電力は、各スマート機器が当該送信電力に基づいて外へ信号をブロードキャストするよう指示するために用いられる。
【０１３４】
実際の応用では、グルーピング側が当該送信電力を送信する際、一般的に当該送信電力を１つのパラメータとして、当該パラメータを１つのデータパケットに付加する。つまり、当該データパケットは、送信電力を示すパラメータを含む。グルーピング側は、選定された各スマート機器へ当該データパケットを送信する。
【０１３５】
取得モジュール８２０は、各スマート機器からフィードバックされた信号強度情報を取得するように構成される。当該信号強度情報は、当該スマート機器が信号を受信した後、当該信号の信号強度と、信号を送信したスマート機器の識別子とを利用して生成したものであり、当該信号は、当該信号を送信したスマート機器が電力送信モジュール８１０で送信された送信電力に基づいてブロードキャストしたものである。
【０１３６】
ある可能な実施形態では、取得モジュール８２０で取得された信号強度情報は、当該信号強度情報を生成したスマート機器の識別子をさらに含む。
【０１３７】
グルーピングモジュール８３０は、取得モジュール８２０で取得された各スマート機器から送信された信号強度情報に応じて、選定された各スマート機器に対してグルーピングを行うように構成される。
【０１３８】
ある可能な実施形態では、グルーピングモジュール８３０は、識別子取得サブモジュール８３０ａ、選別サブモジュール８３０ｂ、グルーピングサブモジュール８３０ｃおよび識別子区分サブモジュール８３０ｄを備えてもよい。
【０１３９】
識別子取得サブモジュール８３０ａは、当該取得モジュール８２０で取得された各信号強度情報に含まれる識別子を取得するように構成される。
【０１４０】
各信号強度情報に含まれる識別子は、一般的に、信号を送信したスマート機器の識別子と、当該信号を受信したスマート機器の識別子とを含む。
【０１４１】
選別サブモジュール８３０ｂは、識別子取得サブモジュール８３０ａで取得された識別子が異なる信号強度情報を選別するように構成される。
【０１４２】
実施時において、各スマート機器が信号を送信する際、１回の送信に限られない可能性がある。例えば、５ｓごとに１回送信してもよい。同じ２つのスマート機器の間で送信された少なくとも１つの信号にとって、信号強度情報を複数回生成する可能性があり、且つこれらの信号強度情報に関わる信号強度の差別も非常に小さく、さらに、２つのスマート機器の間で互いに伝送された信号（例えば、第１スマート機器から第２スマート機器へ伝送された信号、および、第２スマート機器から第１スマート機器へ伝送された信号）の信号強度の差別も非常に小さい。そのため、重複判定を回避するために、同じ２つのスマート機器の間の信号強度情報について、１つのみを選択して後続のグルーピング判定に使用されてもよい。つまり、含まれる識別子が異なる信号強度情報を先に選別してもよい。
【０１４３】
含まれる識別子が異なる信号強度情報を選別する際、含まれるその中の１つの識別子が既存の信号強度情報と異なる限り、当該信号強度情報を選別してもよい。
【０１４４】
グルーピングサブモジュール８３０ｃは、信号強度情報に含まれる信号強度に応じて、選別サブモジュール８３０ｂで選別された信号強度情報に対してグルーピングを行うように構成され、各グループの信号強度情報に含まれる信号強度同士の差分の絶対値は、何れも所定差分閾値より小さい。
【０１４５】
含まれる識別子が異なる場合、信号強度情報の差別も一般的に大きいが、同一の部屋内で伝送された信号の信号強度同士の差分も、異なる部屋の間で伝送された信号の信号強度よりも小さい。そのため、信号強度同士の差分の絶対値が何れも所定差分閾値より小さい信号強度情報を１つのグループにしてもよい。
【０１４６】
識別子区分サブモジュール８３０ｄは、グルーピングサブモジュール８３０ｃでグルーピングされた各グループの信号強度情報に含まれる識別子を取得し、当該識別子を有するスマート機器を１つのグループにするように構成される。
【０１４７】
ある可能な実施形態では、当該装置は、種別取得サブモジュール８３０ｅおよび種別区分サブモジュール８３０ｆをさらに備える。
【０１４８】
種別取得サブモジュール８３０ｅは、識別子区分サブモジュール８３０ｄで区分により得られた各グループのスマート機器について、当該グループにおける各スマート機器の種別を取得するように構成され、当該種別は、スマート電球あるいはスマートコンセントである。
【０１４９】
種別区分サブモジュール８３０ｆは、種別取得サブモジュール８３０ｅで取得されたグループにおける各スマート機器の種別に応じて、当該グループにおける同一の種別であるスマート機器を１つの子グループにするように構成される。
【０１５０】
ある可能な実現形態では、同一の部屋内に異なるスマート機器が存在する可能性があり、実際の需要において、ユーザが同一の種別であるスマート機器のみに対して制御する可能性がある。例えば、同一の部屋内のあらゆるインテリジェントランプを制御すればよく、当該部屋内の他の種別のスマート機器を制御する必要がない。その際、同一のグループについて種別に応じてさらに区分してもよい。
【０１５１】
例えば、グルーピング側は、スマート機器の種別に応じて、電球を１つの子グループにして、スマートコンセントを別の子グループにしてもよい。こうして、各子グループに対して単独制御可能である。
【０１５２】
好ましくは、当該装置は、第１特定モジュール８４０をさらに備えてもよい。
【０１５３】
第１特定モジュール８４０は、同一のユーザアカウントとバインディングされた各スマート機器を、選定された各スマート機器として特定するように構成される。
【０１５４】
例えば、スマートホーム生活において、ユーザは、家にある各種のスマート機器を同一のアカウントとバインディングしてもよい。その際、グルーピング側は、当該アカウントにバインディングされた各スマート機器を取得してから、これらのスマート機器へ当該送信電力を送信することができる。
【０１５５】
好ましくは、当該装置は、第２特定モジュール８５０をさらに備えてもよい。
【０１５６】
第２特定モジュール８５０は、同一のＬＡＮ内に位置する各スマート機器を、選定された各スマート機器として特定するように構成される。
【０１５７】
ここで言うＬＡＮは、家庭に対応するＬＡＮや、オフィスに対応するＬＡＮ、または会社に対応するＬＡＮであってもよい。無論、コミュニティに対応するＬＡＮであってもよい。本実施例は、ＬＡＮについて限定しない。
【０１５８】
ＬＡＮが家庭内のＬＡＮであることを例として、実際のスマートホーム生活において、家庭内のルータは、ルータに接続された各スマート機器を知ることができる。その際、グルーピング側は、ルータに接続されているスマート機器をルータへ要求してもよい。ルータは、当該要求に応じて、グルーピング側へルータに接続されているスマート機器の識別子をフィードバックし、グルーピング側は、これらのスマート機器を選定されたスマート機器として特定してもよい。
【０１５９】
ある可能な実施形態では、当該装置は、指令受信モジュール８６０および指令送信モジュール８７０をさらに備える。
【０１６０】
指令受信モジュール８６０は、指定のグループにおける各スマート機器を指示し制御するための制御指令を受信するように構成される。
【０１６１】
ここで言う制御指令は、グループにおけるスマート機器の共通な特徴について設定された制御指令である。例えば、オフ指令、オン指令、電源切れの指令等である。
【０１６２】
指令送信モジュール８７０は、グループにおける各スマート機器へ制御指令を送信するように構成される。
【０１６３】
このように、本発明の実施例に供されるスマート機器グルーピング装置によれば、グルーピング側がスマート機器へ送信電力を送信し、スマート機器が当該送信電力に基づいて信号をブロードキャストし、他のスマート機器によって当該送信電力に基づいてブロードキャストされた信号を受信し、受信した信号強度情報をグルーピング側へフィードバックし、グルーピング側が信号強度情報に応じてスマート機器をグルーピングすることで、グルーピング側が各スマート機器が同じ電力に基づいて信号をブロードキャストするように制御可能であり、他の各スマート機器から送信された信号の電力強度を採集し、さらに電力強度に応じて自動的にグルーピングすることができるため、スマート機器を一々選択して制御を行うことによる低制御効率という従来技術の問題を解決し、スマート機器を自動的にグルーピングして統合制御する効果を奏する。
【０１６４】
同一の部屋での信号の伝搬の損失が小さく、異なる部屋での信号の伝搬の損失が大きいため、信号強度が所定差分閾値より小さい送信側および受信側を１つのグループにすることで、同一の部屋内における各スマート機器を同一のグループにすることを保証できる。
【０１６５】
同一の部屋内に多種のスマート機器が存在する可能性があるため、種別に応じて区分することで、ユーザが同一の部屋内におけるスマート機器に対してより便利に管理制御や保守することができる。例えば、部屋内におけるインテリジェントランプを同時にオフにして、または部屋内におけるスマートコンセントの電源入れ機能を同時にオンにする。
【０１６６】
ユーザアカウントあるいはＬＡＮに基づいて、選定された各スマート機器を自動的に特定可能であるため、ユーザが自らスマート機器を追加する煩雑な手続きが回避されるとともに、取得した選定された各スマート機器の正確性も保証できる。
【０１６７】
１つの指定のグループに対する制御指令に基づいて、当該グループにおける各スマート機器を制御可能であるため、制御効率が向上する。
【０１６８】
図９は、他の実施例によるスマート機器グルーピング装置を示すブロック図である。当該スマート機器グルーピング装置は、ソフトウェア、ハードウェアまたは両者の組み合わせで上記実施環境におけるスマート機器１４０の全部または一部として実現されてもよい。図９に示すように、当該スマート機器グルーピング装置は、受信モジュール９１０、生成モジュール９２０および送信モジュール９３０を備える。
【０１６９】
受信モジュール９１０は、他のスマート機器からブロードキャストされた信号を受信するように構成され、当該信号は、当該信号をブロードキャストしたスマート機器が送信電力を受信した後で送信電力に基づいて送信したものである。
【０１７０】
生成モジュール９２０は、同一のスマート機器から送信された信号について、当該信号の信号強度と、当該信号を送信したスマート機器の識別子とを利用して、信号強度情報を生成するように構成される。
【０１７１】
送信モジュール９３０は、グルーピング側へ信号強度情報を送信するように構成され、当該信号強度情報は、グルーピング側が取得された各信号強度情報に基づいて、信号強度情報を生成した各スマート機器に対してグルーピングを行うようにトリガするために用いられる。
【０１７２】
このように、本発明の実施例に供されるスマート機器グルーピング装置によれば、グルーピング側がスマート機器へ送信電力を送信し、スマート機器が当該送信電力に基づいて信号をブロードキャストし、他のスマート機器によって当該送信電力に基づいてブロードキャストされた信号を受信し、受信した信号強度情報をグルーピング側へフィードバックし、グルーピング側が信号強度情報に応じてスマート機器をグルーピングすることで、グルーピング側が各スマート機器が同じ電力に基づいて信号をブロードキャストするように制御可能であり、他の各スマート機器から送信された信号の電力強度を採集し、さらに電力強度に応じて自動的にグルーピングすることができるため、スマート機器を一々選択して制御を行うことによる低制御効率という従来技術の問題を解決し、スマート機器を自動的にグルーピングして統合制御する効果を奏する。
【０１７３】
図１０は、さらに別の実施例によるスマート機器グルーピング装置を示すブロック図である。当該スマート機器グルーピング装置は、ソフトウェア、ハードウェアまたは両者の組み合わせで上記実施環境におけるスマート機器１４０の全部または一部として実現されてもよい。図１０に示すように、当該スマート機器グルーピング装置は、受信モジュール１０１０、生成モジュール１０２０および送信モジュール１０３０を備える。
【０１７４】
受信モジュール１０１０は、他のスマート機器からブロードキャストされた信号を受信するように構成され、当該信号は、当該信号をブロードキャストしたスマート機器が送信電力を受信した後で送信電力に基づいて送信したものである。
【０１７５】
生成モジュール１０２０は、同一のスマート機器から送信された信号について、当該信号の信号強度と、当該信号を送信したスマート機器の識別子とを利用して、信号強度情報を生成するように構成される。
【０１７６】
送信モジュール１０３０は、グルーピング側へ信号強度情報を送信するように構成され、当該信号強度情報は、グルーピング側が取得された各信号強度情報に基づいて、信号強度情報を生成した各スマート機器に対してグルーピングを行うようにトリガするために用いられる。
【０１７７】
ある可能な実施形態では、当該装置は、さらに、電力受信モジュール１０４０およびブロードキャストモジュール１０５０を備える。
【０１７８】
電力受信モジュール１０４０は、グルーピング側から送信された送信電力を受信するように構成される。
【０１７９】
ブロードキャストモジュール１０５０は、電力受信モジュール１０４０で受信された送信電力に基づいて信号をブロードキャストするように構成され、当該信号には、当該信号をブロードキャストしたスマート機器の識別子が付加されている。
【０１８０】
スマート機器は、グルーピング側から送信された送信電力を受信した後、当該送信電力に基づいて信号をブロードキャストしてもよい。
【０１８１】
実施時において、信号送信失敗または信号が他の信号の干渉によって深刻に干渉されることに起因して、グルーピング側がグルーピングに成功できないことを回避するために、スマート機器は、当該送信電力に基づいて、信号を複数回ブロードキャストしてもよい。
【０１８２】
例えば、スマート機器は、所定時間間隔ごとに、当該送信電力に基づいて信号をブロードキャストしてもよい。ここでの所定時間間隔も、グルーピング側で指定されてもよい。例えば、グルーピング側は、送信電力および指定の所定時間間隔を同一のデータパケットに付加して、選定された各スマート機器へ当該データパケットを送信してもよい。こうして、スマート機器は、当該データパケットを受信した後、所定時間間隔ごとに、当該送信電力に基づいて信号をブロードキャストすることができる。
【０１８３】
無論、スマート機器は、所定数の信号をブロードキャストしてもよい。ここでの所定数も、グルーピング側で指定されてもよい。例えば、グルーピング側は、送信電力および指定の所定数を同一のデータパケットに付加して、選定された各スマート機器へ当該データパケットを送信してもよい。こうして、スマート機器は、当該データパケットを受信した後、当該送信電力に基づいて所定数の信号をブロードキャストしてもよい。
【０１８４】
このように、本発明の実施例に供されるスマート機器グルーピング装置によれば、グルーピング側がスマート機器へ送信電力を送信し、スマート機器が当該送信電力に基づいて信号をブロードキャストし、他のスマート機器によって当該送信電力に基づいてブロードキャストされた信号を受信し、受信した信号強度情報をグルーピング側へフィードバックし、グルーピング側が信号強度情報に応じてスマート機器をグルーピングすることで、グルーピング側が各スマート機器が同じ電力に基づいて信号をブロードキャストするように制御可能であり、他の各スマート機器から送信された信号の電力強度を採集し、さらに電力強度に応じて自動的にグルーピングすることができるため、スマート機器を一々選択して制御を行うことによる低制御効率という従来技術の問題を解決し、スマート機器を自動的にグルーピングして統合制御する効果を奏する。
【０１８５】
上記実施例の装置における各モジュールが操作を実行する具体的な方式が当該方法に関する実施例に詳細に記述されたため、ここで詳細に説明しない。
【０１８６】
本発明のある実施例は、本発明に供されるスマート機器グルーピング方法を実施可能なスマート機器グルーピング装置を提供する。当該スマート機器グルーピング装置は、プロセッサと、プロセッサの実行可能な指令を記憶するためのメモリとを備える。
【０１８７】
ただし、プロセッサは、
選定された各スマート機器へ送信電力を送信し、
各スマート機器からフィードバックされた信号強度情報を取得し、
各スマート機器から送信された信号強度情報に応じて、選定された各スマート機器に対してグルーピングを行うように構成され、
当該信号強度情報は、スマート機器が信号を受信した後、当該信号の信号強度と、当該信号を送信したスマート機器の識別子とを利用して生成したものであり、当該信号は、当該信号を送信したスマート機器が送信電力に基づいてブロードキャストしたものである。
【０１８８】
本発明の別の実施例は、本発明に供されるスマート機器グルーピング方法を実施可能なスマート機器グルーピング装置を提供する。当該スマート機器グルーピング装置は、プロセッサと、プロセッサの実行可能な指令を記憶するためのメモリとを備える。
【０１８９】
ただし、プロセッサは、
他のスマート機器からブロードキャストされた信号を受信し、
同一のスマート機器から送信された信号について、当該信号の信号強度と、当該信号を送信したスマート機器の識別子とを利用して、信号強度情報を生成し、
グルーピング側へ当該信号強度情報を送信するように構成され、
当該信号は、当該信号をブロードキャストしたスマート機器が送信電力を受信した後で送信電力に基づいて送信したものであり、当該信号強度情報は、グルーピング側が取得された各信号強度情報に基づいて、信号強度情報を生成した各スマート機器に対してグルーピングを行うようにトリガするために用いられる。
【０１９０】
図１１は、ある実施例によるスマート機器に対してグルーピングを行う装置を示すブロック図である。例えば、装置１１００は、携帯電話、サーバ、タブレットＰＣ、コンピュータ、メッセージ送受信機等であってもよい。
【０１９１】
図１１を参照すると、装置１１００は、処理ユニット１１０２、メモリ１１０４、電源ユニット１１０６、マルチメディアユニット１１０８、オーディオユニット１１１０、入力／出力（Ｉ／Ｏ）インターフェース１１１２、センサユニット１１１４、および、通信ユニット１１１６のうちの１つまたは複数を含んでもよい。
【０１９２】
処理ユニット１１０２は、通常は、表示、電話発呼、データ通信、カメラ操作および記録操作に関連する操作のような、装置１１００の全般操作を制御する。処理ユニット１１０２は、上記方法の全部または一部のステップを実施させるように、指令を実行するための１つまたは複数のプロセッサ１１２０を含んでもよい。また、処理ユニット１１０２は、処理ユニット１１０２と他のユニットとの間の相互作用を容易にするように、１つ又は複数のモジュールを含んでもよい。例えば、処理ユニット１１０２は、マルチメディアユニット１１０８と処理ユニット１１０２との間の相互作用を容易にするように、マルチメディアモジュールを含んでもよい。
【０１９３】
メモリ１１０４は、各タイプのデータを記憶して装置１１００での操作をサポートするように構成される。これらのデータの例示は、装置１１００で操作するための任意のアプリケーションもしくは方法の指令、連絡先データ、電話帳データ、メッセージ、ピクチャ、ビデオなどを含む。メモリ１１０４は、如何なる種別の揮発性もしくは不揮発性記憶装置またはそれらの組合せで実現されてもよい。例えば、スタティックランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクであってもよい。
【０１９４】
電源ユニット１１０６は、装置１１００のユニットのそれぞれに電力を供給する。電源ユニット１１０６は、電源管理システム、１つまたは複数の電源、並びに、装置１１００用の電力を生成、管理および配分するに関する他のユニットを含んでもよい。
【０１９５】
マルチメディアユニット１１０８は、前記装置１１００とユーザとの間に１つの出力インターフェースを供給するスクリーンを含む。一部の実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、タッチスクリーンとして実現されてもよい。タッチパネルは、タッチ、スライドおよびタッチパネルでのジェスチャを感知するように、１つまたは複数のタッチセンサを含む。タッチセンサは、タッチあるいはスライド動作の境界を感知するだけではなく、タッチあるいはスライド操作と関連する継続時間および圧力をさらに検出することができる。一部の実施例では、マルチメディアユニット１１０８は、１つのフロントカメラおよび／またはバックカメラを含む。装置１１００が操作モード、例えば、撮影モードあるいはビデオモードであるとき、フロントカメラおよび／またはバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【０１９６】
オーディオユニット１１１０は、オーディオ信号を出力および／または入力するように構成される。例えば、オーディオユニット１１１０は、マイク（ＭＩＣ）を備え、オーディオ出力機器１１００が操作モード、例えば、発呼モード、記録モードおよび音声識別モードであるとき、マイクは、外部オーディオ信号を受信するように構成される。受信されたオーディオ信号は、さらに、メモリ１１０４に格納される、または、通信ユニット１１１６を介して送信されることができる。一部の実施例では、オーディオユニット１１１０は、オーディオ信号を出力するためのスピーカをさらに備える。
【０１９７】
Ｉ／Ｏインターフェース１１１２は、処理ユニット１１０２とペリフェラルインターフェースモジュールとの間でインターフェースを供給するものであり、上記ペリフェラルインターフェースモジュールは、キーボード、クリックホイール、ボタンなどであってもよい。これらのボタンには、ホームページボタン、ボリュームボタン、起動ボタンおよびロックボタンが含まれてもよいが、それらに限定されない。
【０１９８】
センサユニット１１１４は、様々な側面での状態推定を装置１１００に供給するための１つまたは複数のセンサを含む。例えば、センサユニット１１１４は、装置１１００のオン／オフ状態、ユニットの相対位置を検出することができ、ユニットは、例えば、装置１１００のディスプレイおよびキーパッドである。センサユニット１１１４は、さらに、装置１１００もしくは装置１１００の１つのユニットの位置変更、ユーザと装置１１００との接触の存在もしくは非存在、装置１１００の方位もしくは加速／減速および装置１１００の温度変化をさらに検出することができる。センサユニット１１１４は、如何なる物理的接触もないとき、近辺にある物体の存在を検出するための近接センサを含んでもよい。センサユニット１１１４は、さらに、イメージングアプリケーションに使用される光センサ、例えばＣＭＯＳまたはＣＣＤ画像センサを含んでもよい。一部の実施例では、当該センサユニット１１１４は、さらに、加速度センサ、ジャイロセンサ、磁気センサ、圧力センサ、または温度センサを含んでもよい。
【０１９９】
通信ユニット１１１６は、装置１１００と他の機器間の無線または有線方式の通信ができるように構成される。装置１１００は、通信規格に基づく無線ネットワーク、例えば、ＷｉＦｉ、２Ｇもしくは３Ｇなどの通信規格、またはそれらの組合せに基づく無線ネットワークにアクセスすることができる。ある実施例では、通信ユニット１１１６は、外部ブロードキャスト管理システムからのブロードキャスト信号またはブロードキャスト関連情報をブロードキャストチャネルを介して受信する。ある実施例では、通信ユニット１１１６は、さらに、短距離通信を容易にするように、ニアフィールド通信（ＮＦＣ）モジュールを含む。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術および他の技術によって実現されてもよい。
【０２００】
実施例では、装置１１００は、上記グルーピング側を実行の主体とするスマート機器グルーピング方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【０２０１】
実施例では、指令を含む非一時的コンピュータ読み取り可能な記憶媒体、例えば、指令を含むメモリ１１０４をさらに提供し、上記指令が装置１１００のプロセッサ１１２０によって実行されることで上記グルーピング側を実行の主体とするスマート機器グルーピング方法を実施させることができる。例えば、非一時的コンピュータ読み取り可能な記憶媒体は、ＲＯＭ、ランダムアクセスメモリ（ＲＡＭ）、ＣＤ−ＲＯＭ、磁気テープ、フロッピーディスクおよび光データ記憶機器などであってもよい。
【０２０２】
図１２は、別の実施例によるスマート機器に対してグルーピングを行う装置を示すブロック図である。例えば、装置１２００は、スマート電球、スマートコンセント、スマートテレビ、スマートエアコン等として提供されてもよい。図１２を参照すると、装置１２００は、処理ユニット１２２２を含み、さらに１つまたは複数のプロセッサ、およびメモリ１２３２に代表されるメモリ資源を含む。当該メモリ資源は、処理ユニット１２２２の実行可能な指令、例えばアプリケーションプログラムを記憶する。メモリ１２３２に記憶されたアプリケーションプログラムは、１セットの指令に対応する各モジュールを１つまたは複数を含んでもよい。また、処理ユニット１２２２は、指令を実行することで、上記スマート機器を実行の主体とするスマート機器グルーピング方法を実行するように構成される。
【０２０３】
装置１２００は、さらに、装置１２００の電源管理を実行するように構成される電源ユニット１２２６と、装置１２００をネットワークに接続するように構成される有線あるいは無線ネットワークインターフェース１２５０と、入力／出力（Ｉ／Ｏ）インターフェース１２５８とを備えてもよい。装置１２００は、メモリ１２３２に記憶されたオペレーティングシステム、例えば、Ｗｉｎｄｏｗｓ（登録商標）  ＳｅｒｖｅｒＴＭ、Ｍａｃ  ＯＳ  ＸＴＭ、Ｕｎｉｘ（登録商標）ＴＭ、Ｌｉｎｕｘ（登録商標）ＴＭ、ＦｒｅｅＢＳＤＴＭなどを操作することができる。
【０２０４】
当業者は、明細書を考慮し、ここに公開された発明を実践した後、本発明の他の実施案を容易に想到する。本願は、本発明の如何なる変形、用途または適合もカバーすることを意図する。これらの変形、用途または適合は、本発明の一般的な仕組みに従い、かつ、本発明に公開されていない当分野における公知常識または慣用技術手段を含む。明細書および実施例は単なる例示と見なされ、本発明の本当の範囲および思想は添付する特許請求の範囲によって与えられる。
【０２０５】
本発明が以上で記載され、且つ図面に示された正確な構造に限定されるものでなく、その要旨を逸脱しない範囲で様々な補正や変更も可能であることは理解されるべきである。本発明の範囲は、添付する特許請求の範囲のみによって限定される。
【０２０６】
本願は、出願番号が２０１５１０７８９７５７．８であり、出願日が２０１５年１１月１７日である中国特許出願に基づいて優先権を主張する。当該中国特許出願の全ての内容は、ここに参考として引用される。
【図１】
0006275268.tif 000003
【図２Ａ】
0006275268.tif 000004
【図２Ｂ】
0006275268.tif 000005
【図３】
0006275268.tif 000006
【図４】
0006275268.tif 000007
【図５】
0006275268.tif 000008
【図６】
0006275268.tif 000009
【図７】
0006275268.tif 000010
【図８】
0006275268.tif 000011
【図９】
0006275268.tif 000012
【図１０】
0006275268.tif 000013
【図１１】
0006275268.tif 000014
【図１２】
0006275268.tif 000015